(57)【要約】【課題】熟練を要せずシートを簡単、かつ、きれいに枠体に緊張状態にして張り付けることができる看板用枠体を提供する。【解決手段】看板用シートを緊張状態にして保持する枠体において、上記枠体１０は、断面コの字形の外殻１１と、断面Ｓ字形でその下端縁１３ａが断面Ｓ字形の中間壁１３ｂに接近してスリット１３ｃを形成し、上記外殻１１に嵌る保持部材１３と、上記シート２０の端に形成した筒状部２２に挿し込み、該筒状部２２と共に上記スリット１３ｃに続く空間１３ｄに挿通してシート２０の端を保持部材１３に繋ぎ止める芯材１４と、上記保持部材１３を外殻１１の底方に押さえる手段（ネジ機構１５）とからなる。なお、上記ネジ機構に替えて保持部材と蓋体との間に段発機構を装入することができる。【選択図】図１
2005234364.tif 000002
【特許請求の範囲】
【請求項１】
看板用シートを緊張状態にして保持する枠体において、上記枠体は、断面コの字形の外殻と、断面Ｓ字形でその下端縁が断面Ｓ字形の中間壁に接近してスリットを形成し、上記外殻に嵌るシート緊張保持部材と、上記シートの端に形成した筒状部に挿し込み、該筒状部と共に上記スリットに続く空間に挿通してシートの端をシート緊張保持部材に繋ぎ止める芯材と、上記シート緊張保持部材を外殻の底方に押さえる手段とからなることを特徴とする看板用枠体。
【請求項２】
上記シート緊張保持部材を外殻の底方に押さえる手段は、シート緊張保持部材と外殻との間に設けられたネジ機構、またはシート緊張保持部材と蓋体との間に設けられた段発機構のいずれかであることを特徴とする請求項１に記載の看板用枠体。
【請求項３】
上記保持部材は、角張ったＳ字型であることを特徴とする請求項1または２に記載の看板用枠体。
【請求項４】
看板用シートを緊張状態にして保持する枠体において、上記枠体は、断面コの字形の外殻と、シートの端に形成した切り欠きを有する筒状内に挿通される芯材と、上記切り欠きで露出した芯材に引っ掛かるフックを有するシート緊張保持部材とからなり、上記シート緊張保持部材を上記外殻の底に押し付けることによりシートを緊張させることを特徴とする看板用枠体。
【請求項５】
上記外殻の開口部分に、該開口部分を覆う蓋体を開閉可能に取り付けたことを特徴とする請求項１乃至４のいずれかに記載の看板用枠体。
【発明の詳細な説明】
【技術分野】
【０００１】
この発明は、看板用シートを緊張状態にして保持する看板用枠体に関する。
【背景技術】
【０００２】
広告・宣伝用看板は、板の表面に直接図画を画いたもの、半透明または乳白色のプラスチック薄板に図画を画いたもの、プラスチック薄板を真空成形法で造形し着色したものなどがある。
【０００３】
こうした種々の看板のなかで枠体に半透明または乳白色の比較的柔軟なプラスチックシートあるいは繊維強化プラスチックシート（以下、単にシートという）等を緊張状態にして張りつけ、このプラスチックシートに図画を表した看板がある。
【０００４】
上記看板において、シートを枠体に緊張状態で張り付けるには、シートを四方に均等な張力を加えながら行うもので、きれいに張りつけることは熟練と長い時間を必要とし誰にでもできる作業ではなかった。
【発明の開示】
【発明が解決しようとする課題】
【０００５】
上記状況に鑑みこの発明は、シートを枠体に緊張状態にして張りつけ、このシートに図画を表した看板において、熟練を要せず簡単、かつ、きれいに枠体に緊張状態で張り付けることができる看板用枠体を提供することを課題とする。
【課題を解決するための手段】
【０００６】
上記課題を解決するためにこの発明は、看板用シートを緊張状態にして保持する枠体において、上記枠体は、断面コの字形の外殻と、断面Ｓ字形でその下端縁が断面Ｓ字形の中間壁に接近してスリットを形成し、上記外殻に嵌るシート緊張保持部材（以下、保持部材とする）と、上記シートの端に形成した筒状部に挿し込み、該筒状部と共に上記スリットに続く空間に挿通してシートの端を保持部材に繋ぎ止める芯材と、上記保持部材を外殻の底方に押さえる手段とからなり、上記保持部材を外殻の底方に押さえる手段は、保持部材と外殻との間に設けられたネジ機構、または保持部材と蓋体との間に設けられた段発機構のいずれかであり、上記保持部材は、角張ったＳ字型である。
また、看板用シートを緊張状態にして保持する枠体において、上記枠体は、断面コの字形の外殻と、シートの端に形成した切り欠きを有する筒状内に挿通される芯材と、上記切り欠きで露出した芯材に引っ掛かるフックを有する保持部材とからなり、上記保持部材を上記外殻の底に押し付けることによりシートを緊張させる構成とすることもでき、さらに上記外殻の開口部分に、該開口部分を覆う蓋体を開閉可能に取り付けることができる。
【発明の効果】
【０００７】
上記の如く構成するこの発明によれば、枠体の外殻に嵌る保持部材とこの保持部材を外殻の底方に押さえる手段により、熟練を要せずシートを均等に緊張することができ、保持部材は角張ったＳ字型とすることにより外殻への嵌め込み状態が安定し、シートと接する外殻の端縁を折り曲げることにより、張りつけ時のシートの滑りが良くなり、かつ、損傷を防止することができる。
【発明を実施するための最良の形態】
【０００８】
次にこの発明の実施形態について図面を参照しながら説明する。図１は、この発明に係る看板用枠体の要部拡大断面図、図２は、この発明に係る看板用枠体の一部を切り開いた正面図、図３は、この発明に係る看板用枠体に使用されるシートの平面図である。
【０００９】
シート２０の四隅には切り込み２１が設けられ、上下・左右の端縁は袋縫いされて筒状部２２（図３参照）になっている。
【００１０】
上記枠体１０は、図１の（ａ），（ｂ）に示すように断面コの字形の外殻１１と、この外殻１１の開口部分を覆う蓋体１２と、上記外殻１１に嵌る断面角張ったＳ字形で、その下端縁１３ａが中間壁１３ｂに接近してスリット１３ｃを形成した保持部材１３と、上記シート２０の端を袋縫いして形成した筒状部２２に挿し込み、該筒状部２２と共に上記スリット１３ｃに続く空間１３ｄに挿通してシート２０の端を保持部材１３に繋ぎ止める可撓性のある芯材１４（例えばロープ）と、上記保持部材１３を外殻１１の底方に押さえるネジ機構１５とからなっている。
【００１１】
上記ネジ機構１５は、保持部材１３の上側壁１３ｅにバカ穴１５ａを開け、外殻１１の底に雌ねじ１５ｂを設けて、この雌ねじ１５ｂに上記バカ穴１５ａを通してビスねじ１５ｃ（ボルトでもよい）が螺合される。
【００１２】
上記蓋体１２は、上記外殻１１または看板用枠体１０を取り付ける基体１０ｂに、蝶番１２ｂによって開閉可能に取り付けられ（図１の（ａ）または（ｂ）参照）ている。なお、ここで上記保持部材１３の断面形状を角張ったＳ字形としたが、通常のＳ字形とすることもできる。
【００１３】
次にシート２０を本発明に係る枠体１０に緊張状態にして張り付ける作業について説明する。シート２０は、上下・左右の縁を袋縫いして筒状部２２を形成することを想定して、額縁状の外殻１１の大きさに合うように、四隅に切り込み２１を形成して裁断し、図３のように四辺を袋縫いして筒状部２２を形成する。
【００１４】
外殻１１は、図２に示すように額縁状になっており、保持部材１３のスリット１３ｃに続く空間１３ｄに、シート２０の筒状部２２を、スリット１３ｃを経て挿入し、挿入した状態で保持部材１３の端から、先ほど挿入したシート２０の筒状部２２の中に芯材１４を挿し込む。
【００１５】
シート２０の四辺の筒状部２２について同様の作業を行い、この状態にして保持部材１３を額縁状の外殻１１内に装入し（一点鎖線の状態）、保持部材１３の断面S字形の上側壁１３ｅに設けたバカ穴１５ａにビスねじ１５ｃを通し、外殻１１の底に設けた雌ねじ１５ｂにビスねじ１５ｃ螺合して該保持部材１３を外殻１１の底に向けて押える。なお、図面では保持部材１３は、外殻１１の底についているが途中で緊張・調整が完了することもある。
【００１６】
上記シート２０を緊張させる操作は、張り付けられるシート２０に、引きつりや皺が出ないように均等に行う必要がある。また、布帛等の補強繊維を内部に埋め込んだプラスチックシート２０を採用するときは、耐張力や伸びにバラツキや方向性があるため、このバラツキや方向性を吸収するために保持部材１３を適当な長さに寸断し、部分ごとの張力調整ができるようにすることが好ましい。また、看板が大きい場合は、シートの緊張保持部材を外殻全体に装入するのではなく、短尺もので一定の間隔を開けて装入すれば材料の節約と軽量化を図ることができる。
【００１７】
上記実施形態の他、図４のようにすることができる。即ち、シート２０の四辺を袋縫いして筒状部２２’を形成した後、間歇的に切り欠いて切り欠き２３とし、上記筒状部２２’に剛性の高い芯材１４’（例えばＦＲＰの棒）を挿通して、上記切り欠き２３で露出した芯材１４’に緊張付与部材１６のフック１７を引っかけ、緊張付与部材１６を外殻１１の底にネジ止めしてシート２０を緊張させるようにすることもできる。
【産業上の利用可能性】
【００１８】
以上説明したように本発明によれば、枠体にシートを緊張状態で張り付けることが非常に楽になり、熟練を要せずきれいに張り付けることができ、また、同一枠体でシートを張り替えるだけで幾つもの広告・宣伝に供することができる。
【図面の簡単な説明】
【００１９】
【図１】本発明に係る枠体の断面図で、（ａ）はその１、（ｂ）はその２
【図２】同枠体の一部を切り欠いた正面図
【図３】本発明に係る枠体に張り付けられるシートの平面図
【図４】他の実施形態の概略説明図
【符号の説明】
【００２０】
１０  枠体
１１  外殻
１２  蓋体
１２ｂ  蝶番
１３  （シート緊張）保持部材
１３ａ  下端縁
１３ｂ  中間壁
１３ｃ  スリット
１３ｄ  空間
１３ｅ  上側壁
１４  芯材（ロープ）
１４’  芯材（剛性のある）
１５  ネジ機構
１５ａ  バカ穴
１５ｂ  雌ねじ
１５ｃ  ビスネジ（ボルト）
１６  緊張付与部材
１７  フック
２０  シート
２１  切り込み
２２  筒状部
２２’  筒状部（切り欠きのある）
２３  切り欠き
【図１】
2005234364.tif 000003
【図２】
2005234364.tif 000004
【図３】
2005234364.tif 000005
【図４】
2005234364.tif 000006